(57)【要約】【課題】サーミスタが外部から視認できない位置に配置されている組電池であって、列置方向に列置された電池の個数が異なる２種類の組電池のそれぞれについて、サーミスタの位置を適切に検知することができるサーミスタ位置検知用治具を提供する。【解決手段】サーミスタ位置検知用治具７０は、列置方向Ｌに延びる形態の治具本体部７１であって、サーミスタの位置を示す切り欠き部７１ｂ，７１ｃ，７１ｄ，７１ｅ、７１ｆを有する治具本体部７１と、治具本体部７１に対し、列置方向Ｌにスライド可能に設けられたスライド部７４であって、第１位置と第２位置との間を列置方向Ｌにスライドすることで、サーミスタ位置検知用治具７０を上面視したときに視認できる切り欠き部の位置を変更するスライド部７４とを備える。【選択図】図５
2019192542.tif 000002
【特許請求の範囲】
【請求項１】
複数の電池が列置方向に列置された電池列を有する電池モジュールと、
前記列置方向に隣り合う前記電池の電極外部端子を接続する複数のバスバ、及び、前記電池列を構成する前記複数の電池のうち少なくとも１つの前記電池の上面に接触して、当該電池の温度を検知するサーミスタ、を有するバスバモジュールと、を備える
組電池であって、前記サーミスタが前記組電池の外部から視認できない位置に配置されている組電池について、前記サーミスタの位置を検知するための
サーミスタ位置検知用治具であって、
前記サーミスタ位置検知用治具は、
前記列置方向に列置された前記電池の個数が異なる２種類の前記組電池であって、前記列置方向に列置された前記電池の個数が相対的に多く、前記列置方向の長さが相対的に長い第１組電池と、前記列置方向に列置された前記電池の個数が相対的に少なく、前記列置方向の長さが相対的に短い第２組電池と、について、前記サーミスタの位置を検知するための治具であり、
前記サーミスタ位置検知用治具は、
前記列置方向に延びる形態の治具本体部であって、前記サーミスタの位置を示す切り欠き部を有する治具本体部と、
前記治具本体部に対し、前記列置方向にスライド可能に設けられたスライド部であって、第１位置と第２位置との間を前記列置方向にスライドすることで、前記サーミスタ位置検知用治具を上面視したときに視認できる前記切り欠き部の位置を変更するスライド部と、を備え、
前記第１組電池を前記サーミスタ位置検知用治具の下方の規定位置に配置し、且つ、前記スライド部を前記第１位置に配置した状態で、前記サーミスタ位置検知用治具及び前記第１組電池を上面視したときに視認できる前記切り欠き部が、前記第１組電池における前記サーミスタの位置を示すように構成され、
前記第２組電池を前記サーミスタ位置検知用治具の下方の規定位置に配置し、且つ、前記スライド部を前記第２位置に配置した状態で、前記サーミスタ位置検知用治具及び前記第２組電池を上面視したときに視認できる前記切り欠き部が、前記第２組電池における前記サーミスタの位置を示すように構成されている
サーミスタ位置検知用治具。
【発明の詳細な説明】
【技術分野】
【０００１】
本発明は、サーミスタ位置検知用治具、より具体的には、外部から視認できない位置にサーミスタが配置されている組電池について、サーミスタの位置を検知するためのサーミスタ位置検知用治具に関する。
【背景技術】
【０００２】
特許文献１には、複数の電池が列置方向に列置された電池列を有する電池モジュールと、列置方向に隣り合う電池の電極外部端子を接続する複数のバスバ、及び、電池列を構成する複数の電池のうち少なくともいずれかの電池の上面に接触して、当該電池の温度を検知するサーミスタ、を有するバスバモジュールと、を備える組電池が開示されている。
【先行技術文献】
【特許文献】
【０００３】
【特許文献１】特開２０１４−２２０１５７号公報
【発明の概要】
【発明が解決しようとする課題】
【０００４】
このような組電池では、サーミスタが組電池の外部から視認できない位置に配置されることがある。しかしながら、サーミスタが外部から視認できない位置に配置された組電池について、サーミスタの位置を検知することが求められることがあった。例えば、バスバモジュールを電池モジュールに組み付けて組電池を作製した後、検査工程において、サーミスタの位置を検知（知得）したいことがあった。
【０００５】
また、組電池として、列置方向に列置された電池の個数が異なる２種類の組電池を製造することがある。具体的には、列置方向に列置された電池の個数が相対的に多く、列置方向の長さが相対的に長い第１組電池と、列置方向に列置された電池の個数が相対的に少なく（第１組電池に比べて少なく）、列置方向の長さが相対的に短い（第１組電池に比べて短い）第２組電池である。このように、列置方向に列置された電池の個数が異なる２種類の組電池（第１組電池と第２組電池）では、サーミスタの位置（列置方向にかかる位置）が異なっている場合がある。これに対し、サーミスタが外部から視認できない位置に配置されている組電池であって、列置方向に列置された電池の個数が異なる（従って、列置方向の長さが異なる）２種類の組電池のそれぞれについて、サーミスタの位置を適切に検知することが求められていた。
【０００６】
本発明は、かかる現状に鑑みてなされたものであって、サーミスタが外部から視認できない位置に配置されている組電池であって、列置方向に列置された電池の個数が異なる２種類の組電池のそれぞれについて、サーミスタの位置を適切に検知することができるサーミスタ位置検知用治具を提供することを目的とする。
【課題を解決するための手段】
【０００７】
本発明の一態様は、複数の電池が列置方向に列置された電池列を有する電池モジュールと、前記列置方向に隣り合う前記電池の電極外部端子を接続する複数のバスバ、及び、前記電池列を構成する前記複数の電池のうち少なくとも１つの前記電池の上面に接触して、当該電池の温度を検知するサーミスタ、を有するバスバモジュールと、を備える組電池であって、前記サーミスタが前記組電池の外部から視認できない位置に配置されている組電池について、前記サーミスタの位置を検知するためのサーミスタ位置検知用治具であって、前記サーミスタ位置検知用治具は、前記列置方向に列置された前記電池の個数が異なる２種類の前記組電池であって、前記列置方向に列置された前記電池の個数が相対的に多く、前記列置方向の長さが相対的に長い第１組電池と、前記列置方向に列置された前記電池の個数が相対的に少なく、前記列置方向の長さが相対的に短い第２組電池と、について、前記サーミスタの位置を検知するための治具であり、前記サーミスタ位置検知用治具は、前記列置方向に延びる形態の治具本体部であって、前記サーミスタの位置を示す切り欠き部を有する治具本体部と、前記治具本体部に対し、前記列置方向にスライド可能に設けられたスライド部であって、第１位置と第２位置との間を前記列置方向にスライドすることで、前記サーミスタ位置検知用治具を上面視したときに視認できる前記切り欠き部の位置を変更するスライド部と、を備え、前記第１組電池を前記サーミスタ位置検知用治具の下方の規定位置に配置し、且つ、前記スライド部を前記第１位置に配置した状態で、前記サーミスタ位置検知用治具及び前記第１組電池を上面視したときに視認できる前記切り欠き部が、前記第１組電池における前記サーミスタの位置を示すように構成され、前記第２組電池を前記サーミスタ位置検知用治具の下方の規定位置に配置し、且つ、前記スライド部を前記第２位置に配置した状態で、前記サーミスタ位置検知用治具及び前記第２組電池を上面視したときに視認できる前記切り欠き部が、前記第２組電池における前記サーミスタの位置を示すように構成されているサーミスタ位置検知用治具である。
【０００８】
上述のサーミスタ位置検知用治具は、組電池の外部から視認できない位置にサーミスタが配置されている組電池について、サーミスタの位置を検知するための治具である。より具体的には、列置方向に列置された電池の個数が異なる２種類の組電池について、サーミスタの位置を検知するための治具である。検知対象となる２種類の組電池とは、列置方向に列置された電池の個数が相対的に多く、列置方向の長さが相対的に長い第１組電池と、列置方向に列置された電池の個数が相対的に少なく（第１組電池に比べて少なく）、列置方向の長さが相対的に短い（第１組電池に比べて短い）第２組電池である。
【０００９】
このサーミスタ位置検知用治具は、治具本体部と、治具本体部に対して列置方向にスライド可能に設けられたスライド部とを備えている。このうち、治具本体部は、列置方向に延びる形態をなし、サーミスタの位置（列置方向にかかる位置）を示す切り欠き部を有している。また、スライド部は、第１位置と第２位置との間を列置方向にスライドすることで、サーミスタ位置検知用治具を上面視したときに視認できる前記切り欠き部の位置を変更する部位（部材）である。従って、このサーミスタ位置検知用治具では、スライド部を第１位置に配置したときと、スライド部を第２位置に配置したときとにおいて、サーミスタ位置検知用治具を上面視したときに視認できる切り欠き部（サーミスタの存在位置を示す部位）の位置を異ならせることができる。
【００１０】
より具体的には、上述のサーミスタ位置検知用治具では、第１組電池をサーミスタ位置検知用治具の下方の規定位置に配置し（換言すれば、サーミスタ位置検知用治具を第１組電池の上方の規定位置に配置し）、且つ、スライド部を第１位置に配置した状態で、サーミスタ位置検知用治具及び第１組電池を上面視したときに視認できる切り欠き部が、第１組電池におけるサーミスタの位置（列置方向にかかる位置）を示すように構成されている。すなわち、第１組電池をサーミスタ位置検知用治具の下方の規定位置に配置し（換言すれば、サーミスタ位置検知用治具を第１組電池の上方の規定位置に配置し）、且つ、スライド部を第１位置に配置した状態で、サーミスタ位置検知用治具及び第１組電池を上面視したときに視認できる切り欠き部の位置が、第１組電池におけるサーミスタの位置（列置方向にかかる位置）となるように構成されている。
【００１１】
従って、第１組電池についてサーミスタの位置（列置方向にかかる位置）を検知したい場合、作業者は、第１組電池をサーミスタ位置検知用治具の下方の規定位置に配置し（換言すれば、サーミスタ位置検知用治具を第１組電池の上方の規定位置に配置し）、且つ、スライド部を第１位置に配置した状態で、サーミスタ位置検知用治具及び第１組電池を上面視することで、視認できる切り欠き部の下方にサーミスタが存在していることを検知することができる。
【００１２】
さらに、上述のサーミスタ位置検知用治具では、第２組電池をサーミスタ位置検知用治具の下方の規定位置に配置し（換言すれば、サーミスタ位置検知用治具を第２組電池の上方の規定位置に配置し）、且つ、スライド部を第２位置に配置した状態で、サーミスタ位置検知用治具及び第２組電池を上面視したときに視認できる切り欠き部が、第２組電池におけるサーミスタの位置を示すように構成されている。すなわち、第２組電池をサーミスタ位置検知用治具の下方の規定位置に配置し（換言すれば、サーミスタ位置検知用治具を第２組電池の上方の規定位置に配置し）、且つ、スライド部を第２位置に配置した状態で、サーミスタ位置検知用治具及び第２組電池を上面視したときに視認できる切り欠き部の位置が、第２組電池におけるサーミスタの位置（列置方向にかかる位置）となるように構成されている。
【００１３】
従って、第２組電池についてサーミスタの位置（列置方向にかかる位置）を検知したい場合、作業者は、第２組電池をサーミスタ位置検知用治具の下方の規定位置に配置し（換言すれば、サーミスタ位置検知用治具を第２組電池の上方の規定位置に配置し）、且つ、スライド部を第２位置に配置した状態で、サーミスタ位置検知用治具及び第２組電池を上面視することで、視認できる切り欠き部の下方にサーミスタが存在していることを検知することができる。
【００１４】
以上説明したように、上述のサーミスタ位置検知用治具を用いることで、サーミスタが外部から視認できない位置に配置されている組電池であって、列置方向に列置された電池の個数が異なる（従って、列置方向の長さが異なる）２種類の組電池のそれぞれについて、サーミスタの位置を適切に検知することができる。
【図面の簡単な説明】
【００１５】
【図１】実施形態にかかる第１組電池の上面視概略図である。
【図２】実施形態にかかる第２組電池の上面視概略図である。
【図３】第１組電池及び第２組電池を構成する電池の断面図である。
【図４】図１のＢ−Ｂ断面または図２のＣ−Ｃ断面における部分拡大概略図である。
【図５】実施形態にかかるサーミスタ位置検知用治具の上面視概略図である。
【図６】同サーミスタ位置検知用治具にかかる他の上面視概略図である。
【図７】実施形態において、第１組電池をサーミスタ位置検知用治具の下方の規定位置に配置し、且つ、スライド部を第１位置に配置した状態における上面視概略図である。
【図８】実施形態において、第２組電池をサーミスタ位置検知用治具の下方の規定位置に配置し、且つ、スライド部を第２位置に配置した状態における上面視概略図である。
【図９】他の形態において、第１組電池をサーミスタ位置検知用治具の下方の規定位置に配置し、且つ、スライド部を第１位置に配置した状態における上面視概略図である。
【図１０】他の形態において、第２組電池をサーミスタ位置検知用治具の下方の規定位置に配置し、且つ、スライド部を第２位置に配置した状態における上面視概略図である。
【発明を実施するための形態】
【００１６】
（実施形態）
次に、本発明の実施形態について説明する。まず、本実施形態にかかるサーミスタ位置検知用治具７０について説明をする前に、サーミスタ位置検知用治具７０によってサーミスタの位置を検知する対象となる２種類の組電池（第１組電池１と第２組電池２０１）について説明する。図１は、実施形態にかかる第１組電池１の上面視概略図である。図２は、実施形態にかかる第２組電池２０１の上面視概略図である。図３は、第１組電池１及び第２組電池２０１を構成する電池１００の断面図である。図４は、図１のＢ−Ｂ断面または図２のＣ−Ｃ断面における部分拡大概略図である。
【００１７】
第１組電池１は、図１に示すように、電池モジュール３０とバスバモジュール５０とを備える。このうち、電池モジュール３０は、複数の電池１００が列置方向Ｌ（図１において左右方向）に列置された電池列４０と、列置方向Ｌに隣り合う電池１００の間に介在する冷却板２０と、これらを挟んで固定する２枚のエンドプレート（図１において図示なし）と、２枚のエンドプレートを連結する拘束ロッド（図１において図示なし）と、樹脂製の枠体（図１において図示なし）などを備えている。
【００１８】
また、バスバモジュール５０は、複数のバスバ５１，５２と、バスバ５１，５２を互いに電気的に絶縁しつつ連結する連結部５３，５４，５５，５６と、連結部５３，５４，５５，５６を連結する連結部５７，５８とを有する（図１参照）。
【００１９】
このうち、バスバ５１は、列置方向Ｌに隣り合う電池１００の電極外部端子（具体的には、正極外部端子１３０と負極外部端子１４０）を接続する部材である（図１参照）。このバスバ５１は、薄板矩形状の金属からなり、正極外部端子１３０のボルト端子部１３９が挿通される貫通孔（図示なし）と、負極外部端子１４０のボルト端子部１４９が挿通される貫通孔（図示なし）とを有する。
【００２０】
また、バスバ５２は、電池列４０の列置方向Ｌの両端部に位置する電池１００の正極外部端子１３０または負極外部端子１４０に接続する部材である。このバスバ５２は、薄板矩形状の金属からなり、正極外部端子１３０のボルト端子部１３９が挿通される貫通孔（図示なし）、または、負極外部端子１４０のボルト端子部１４９が挿通される貫通孔（図示なし）を有する。
【００２１】
このバスバモジュール５０では、電池列４０の幅方向Ｗ（図１において上下方向）の一方側（図１において上側）において、複数のバスバ５１が列置方向Ｌに間隔を空けて列置された、第１バスバ列５０ｂを形成している。さらに、電池列４０の幅方向Ｗの他方側（図１において下側）において、複数のバスバ５１とバスバ５２が列置方向Ｌに間隔を空けて列置された、第２バスバ列５０ｃを形成している。
【００２２】
さらに、バスバモジュール５０は、サーミスタ６１，６２，６３，６４と、列置方向Ｌに延びる形態をなし、サーミスタ６１，６２，６３，６４を保持するサーミスタ保持部６５とを有する（図１参照）。なお、サーミスタ保持部６５は、連結部５４，５７，５８に連結されている。サーミスタ６１，６２，６３，６４は、それぞれ、電池列４０を構成する複数の電池１００から選択された電池１００の上面１００ｂに接触して、当該電池１００の温度を検知する。
【００２３】
具体的には、図１に破線で示すように、サーミスタ６１は、電池列４０の一方端である基準端（図１において右端）から数えて２番目に位置する電池１００の上面１００ｂに接触して、当該電池１００の温度を検知する。サーミスタ６２は、電池列４０の基準端（図１において右端）から数えて５番目に位置する電池１００の上面１００ｂに接触して、当該電池１００の温度を検知する。サーミスタ６３は、電池列４０の基準端（図１において右端）から数えて９番目に位置する電池１００の上面１００ｂに接触して、当該電池１００の温度を検知する。サーミスタ６４は、電池列４０の基準端（図１において右端）から数えて１４番目に位置する電池１００の上面１００ｂに接触して、当該電池１００の温度を検知する。
【００２４】
また、サーミスタ保持部６５は、図１及び図４に示すように、バスバモジュール側ロック部６５ｂ，６５ｃ，６５ｄ，６５ｅを有する。このバスバモジュール側ロック部６５ｂ，６５ｃ，６５ｄ，６５ｅは、電池モジュール３０に設けられている電池モジュール側ロック部３５ｂ，３５ｃ，３５ｄ，３５ｅと嵌合する。
【００２５】
なお、図４は、図１のＢ−Ｂ断面における部分拡大概略図であり、電池モジュール側ロック部３５ｂ、バスバモジュール側ロック部６５ｂ、及びサーミスタ６１の構成を示している。また、図４に示されていない他の電池モジュール側ロック部３５ｃ，３５ｄ，３５ｅ、バスバモジュール側ロック部６５ｃ，６５ｄ，６５ｅ、及び、サーミスタ６２，６３，６４についても、電池モジュール側ロック部３５ｂ、バスバモジュール側ロック部６５ｂ、及びサーミスタ６１と同様な構成とされている。
【００２６】
また、図１に破線で示すように、電池モジュール側ロック部３５ｂは、電池列４０の一方端である基準端（図１において右端）から数えて２番目に位置する電池１００の上方に位置している。また、電池モジュール側ロック部３５ｃは、電池列４０の基準端（図１において右端）から数えて５番目に位置する電池１００の上方に位置している。また、電池モジュール側ロック部３５ｄは、電池列４０の基準端（図１において右端）から数えて９番目に位置する電池１００の上方に位置している。また、電池モジュール側ロック部３５ｅは、電池列４０の基準端（図１において右端）から数えて１４番目に位置する電池１００の上方に位置している。
【００２７】
また、バスバモジュール側ロック部６５ｂは、電池１００の幅方向Ｗ（図１において上下方向、図４において左右方向）について、サーミスタ６１と隣接する位置に設けられている。このバスバモジュール側ロック部６５ｂと電池モジュール側ロック部３５ｂとが嵌合することで、サーミスタ６１が電池１００（電池列４０の基準端から数えて２番目に位置する電池１００）の上面１００ｂに確実に接触した状態となる。
【００２８】
また、バスバモジュール側ロック部６５ｃは、電池１００の幅方向Ｗについて、サーミスタ６２と隣接する位置に設けられている。このバスバモジュール側ロック部６５ｃと電池モジュール側ロック部３５ｃとが嵌合することで、サーミスタ６２が電池１００（電池列４０の基準端から数えて５番目に位置する電池１００）の上面１００ｂに確実に接触した状態となる。
【００２９】
また、バスバモジュール側ロック部６５ｄは、電池１００の幅方向Ｗについて、サーミスタ６３と隣接する位置に設けられている。このバスバモジュール側ロック部６５ｄと電池モジュール側ロック部３５ｄとが嵌合することで、サーミスタ６３が電池１００（電池列４０の基準端から数えて９番目に位置する電池１００）の上面１００ｂに確実に接触した状態となる。
【００３０】
また、バスバモジュール側ロック部６５ｅは、電池１００の幅方向Ｗについて、サーミスタ６４と隣接する位置に設けられている。このバスバモジュール側ロック部６５ｅと電池モジュール側ロック部３５ｅとが嵌合することで、サーミスタ６４が電池１００（電池列４０の基準端から数えて１４番目に位置する電池１００）の上面１００ｂに確実に接触した状態となる。
【００３１】
電池１００は、角形（直方体形状）の二次電池であり、図３に示すように、扁平型の捲回電極体１５０と、この捲回電極体１５０を収容する矩形箱形状の電池ケース本体１１１と、この電池ケース本体１１１の開口１１１ｄを閉塞（封止）する蓋体１１３と、正極外部端子１３０と、負極外部端子１４０とを有する。電池ケース本体１１１と蓋体１１３とは、全周溶接により接合されて、電池ケース１１０を形成している。蓋体１１３には、安全弁１１３ｊが形成されている。
【００３２】
捲回電極体１５０は、シート状の正極１５６及び負極１５７をシート状のセパレータ１５８を介して捲回した扁平捲回型の電極体である。この捲回電極体１５０は、その軸線方向（図３において左右方向）の一方端部（図３において左端部）に位置し、正極１５６の一部のみが渦巻状に重なる正極捲回部１５６ｂと、他方端部（図３において右端部）に位置し、負極１５７の一部のみが渦巻状に重なる負極捲回部１５７ｂを有している。正極捲回部１５６ｂには、正極外部端子１３０（外部端子本体部１３７）と電気的に接続する正極接続部材１３５が溶接されている。また、負極捲回部１５７ｂには、負極外部端子１４０（外部端子本体部１４７）と電気的に接続する負極接続部材１４５が溶接されている。
【００３３】
正極外部端子１３０は、側面視略Ｚ字状をなす外部端子本体部１３７と、ボルト端子部１３９とを有する。外部端子本体部１３７は、金属板からなり、正極接続部材１３５と接続する第１接続部１３７ｆと、バスバモジュール５０（バスバ５１またはバスバ５２）と接続する第２接続部１３７ｇとを有する。第２接続部１３７ｇには、これを貫通する貫通孔１３７ｃが形成されており、この貫通孔１３７ｃ内には、ボルト端子部１３９の軸部１３９ｃが挿通されている。
【００３４】
ボルト端子部１３９は、金属製のボルトであり、雄ネジ部１３９ｄを有する円柱状の軸部１３９ｃと、軸部１３９ｃの後端側（図３において下端側）に位置する矩形板状の頭部１３９ｂとを有している。このボルト端子部１３９は、軸部１３９ｃの先端側（図３において上端側）を上方に向けて、電池１００の上部（蓋体１１３の上方）に配置されている。
【００３５】
負極外部端子１４０は、側面視略Ｚ字状をなす外部端子本体部１４７と、ボルト端子部１４９とを有する。外部端子本体部１４７は、金属板からなり、負極接続部材１４５と接続する第１接続部１４７ｆと、バスバモジュール５０（バスバ５１またはバスバ５２）と接続する第２接続部１４７ｇとを有する。第２接続部１４７ｇには、これを貫通する貫通孔１４７ｃが形成されており、この貫通孔１４７ｃ内には、ボルト端子部１４９の軸部１４９ｃが挿通されている。
【００３６】
ボルト端子部１４９は、金属製のボルトであり、雄ネジ部１４９ｄを有する円柱状の軸部１４９ｃと、軸部１４９ｃの後端側（図３において下端側）に位置する矩形板状の頭部１４９ｂとを有している。このボルト端子部１４９は、軸部１４９ｃの先端側（図３において上端側）を上方に向けて、電池１００の上部（蓋体１１３の上方）に配置されている。
【００３７】
また、本実施形態の電池１００は、蓋体１１３上に配置された絶縁部材１８０を備えている。この絶縁部材１８０は、正極外部端子１３０（外部端子本体部１３７及びボルト端子部１３９）と蓋体１１３の上面との間に介在し、両者を電気的に絶縁する。なお、この絶縁部材１８０は、負極外部端子１４０（外部端子本体部１４７及びボルト端子部１４９）と蓋体１１３との間にも介在している。
【００３８】
この絶縁部材１８０は、ボルト端子部１３９（１４９）の頭部１３９ｂ（１４９ｂ）が配置される頭部配置部１８１、及び、外部端子本体部１３７（１４７）と蓋体１１３との間に介在する介在部１８３を有している。この介在部１８３上には、外部端子本体部１３７（１４７）の第１接続部１３７ｆ（１４７ｆ）が配置されている。
【００３９】
ボルト端子部１３９（１４９）は、その軸部１３９ｃ（１４９ｃ）が、外部端子本体部１３７（１４７）の第２接続部１３７ｇ（１４７ｇ）の貫通孔１３７ｃ（１４７ｃ）を挿通し、頭部１３９ｂ（１４９ｂ）が、外部端子本体部１３７（１４７）の第２接続部１３７ｇ（１４７ｇ）と絶縁部材１８０の頭部配置部１８１との間に挟まれた態様で、これらに保持されている。
【００４０】
なお、本実施形態では、列置方向Ｌに隣り合う電池１００において、正極外部端子１３０のボルト端子部１３９と負極外部端子１４０のボルト端子部１４９とが列置方向Ｌに隣り合うように、列置方向Ｌに並ぶ電池１００が幅方向Ｗの向き（正極外部端子１３０のボルト端子部１３９と負極外部端子１４０のボルト端子部１４９の幅方向Ｗにかかる位置）を交互に反対にして、電池列４０が構成されている。
【００４１】
本実施形態の第１組電池１では、バスバモジュール５０の第１バスバ列５０ｂを構成する各々のバスバ５１の貫通孔に、電池列４０の幅方向Ｗの一方側（図１において上側）において列置方向Ｌに並んでいる正極外部端子１３０のボルト端子部１３９の軸部１３９ｃが挿通され、且つ、第１バスバ列５０ｂを構成する各々のバスバ５１の貫通孔に、電池列４０の幅方向Ｗの一方側において列置方向Ｌに並んでいる負極外部端子１４０のボルト端子部１４９の軸部１４９ｃが挿通された状態で、第１バスバ列５０ｂを構成する各々のバスバ５１が、電池列４０の幅方向Ｗの一方側において列置方向Ｌに隣り合う正極外部端子１３０の外部端子本体部１３７と負極外部端子１４０の外部端子本体部１４７に接触している。
【００４２】
さらに、バスバモジュール５０の第２バスバ列５０ｃを構成する各々のバスバ５１の貫通孔に、電池列４０の幅方向Ｗの他方側（図１において下側）において列置方向Ｌに並んでいる正極外部端子１３０のボルト端子部１３９の軸部１３９ｃが挿通され、且つ、第２バスバ列５０ｃを構成する各々のバスバ５１の貫通孔に、電池列４０の幅方向Ｗの他方側において列置方向Ｌに並んでいる負極外部端子１４０のボルト端子部１４９の軸部１４９ｃが挿通された状態で、第２バスバ列５０ｃを構成する各々のバスバ５１が、電池列４０の幅方向Ｗの他方側において列置方向Ｌに隣り合う正極外部端子１３０の外部端子本体部１３７と負極外部端子１４０の外部端子本体部１４７に接触している。
【００４３】
そして、正極外部端子１３０のボルト端子部１３９の雄ネジ部１３９ｄにナット５を螺合させて、正極外部端子１３０の外部端子本体部１３７とバスバ５１とを締結し、さらに、負極外部端子１４０のボルト端子部１４９の雄ネジ部１４９ｄにナット５を螺合させて、負極外部端子１４０の外部端子本体部１４７とバスバ５１とを締結している。このようにして、バスバ５１を通じて、列置方向Ｌに隣り合う電池１００の正極外部端子１３０と負極外部端子１４０とが接続されている。これにより、第１組電池１を構成する全ての電池１００が電気的に直列に接続されている。
【００４４】
また、第２組電池２０１は、図２に示すように、電池モジュール２３０とバスバモジュール２５０とを備える。このうち、電池モジュール２３０は、複数の電池１００が列置方向Ｌ（図２において左右方向）に列置された電池列２４０と、列置方向Ｌに隣り合う電池１００の間に介在する冷却板２０と、これらを挟んで固定する２枚のエンドプレート（図２において図示なし）と、２枚のエンドプレートを連結する拘束ロッド（図２において図示なし）と、樹脂製の枠体（図２において図示なし）などを備えている。
【００４５】
第２組電池２０１の電池モジュール２３０は、第１組電池１の電池モジュール３０と比較して、列置方向Ｌに列置された電池１００の個数が少なく（具体的には３個少ない）、列置方向Ｌの長さが短い。従って、第２組電池２０１のバスバモジュール２５０も、第１組電池１のバスバモジュール５０と比較して、バスバ５１の個数が少なく、列置方向Ｌの長さが短い。
【００４６】
バスバモジュール２５０は、複数のバスバ５１，５２と、バスバ５１，５２を互いに電気的に絶縁しつつ連結する連結部２５３，２５４，２５５，２５６と、連結部２５３，２５４，２５５，２５６を連結する連結部５７，５８とを有する。バスバ５１，５２については、前述したバスバモジュール５０のバスバ５１，５２と同等である。このバスバモジュール２５０では、電池列２４０の幅方向Ｗ（図２において上下方向）の一方側（図２において上側）において、複数のバスバ５１が列置方向Ｌに間隔を空けて列置された、第１バスバ列２５０ｂを形成している。さらに、電池列２４０の幅方向Ｗの他方側（図２において下側）において、複数のバスバ５１とバスバ５２が列置方向Ｌに間隔を空けて列置された、第２バスバ列２５０ｃを形成している。
【００４７】
さらに、バスバモジュール２５０は、サーミスタ６１，６２，６３，６４と、列置方向Ｌに延びる形態をなし、サーミスタ６１，６２，６３，６４を保持するサーミスタ保持部２６５とを有する。なお、サーミスタ保持部２６５は、連結部２５４，５７，５８に連結されている。サーミスタ６１，６２，６３，６４は、それぞれ、電池列２４０を構成する複数の電池１００から選択された電池１００の上面１００ｂに接触して、当該電池１００の温度を検知する。但し、第２組電池２０１では、第１組電池１と比較して、サーミスタ６１，６２，６３，６４が配置される電池１００が一部異なっている。
【００４８】
具体的には、サーミスタ６１は、第１組電池１と同様に、電池列２４０の一方端である基準端（図２において右端）から数えて２番目に位置する電池１００の上面１００ｂに接触して、当該電池１００の温度を検知する。サーミスタ６２は、第１組電池１と同様に、電池列２４０の基準端（図２において右端）から数えて５番目に位置する電池１００の上面１００ｂに接触して、当該電池１００の温度を検知する。サーミスタ６３は、第１組電池１と異なり、電池列２４０の基準端（図２において右端）から数えて８番目に位置する電池１００の上面１００ｂに接触して、当該電池１００の温度を検知する。サーミスタ６４は、第１組電池１と異なり、電池列２４０の基準端（図２において左端）から数えて１１番目に位置する電池１００の上面１００ｂに接触して、当該電池１００の温度を検知する。
【００４９】
また、サーミスタ保持部２６５は、図２及び図４に示すように、バスバモジュール側ロック部２６５ｂ，２６５ｃ，２６５ｄ，２６５ｅを有する。このバスバモジュール側ロック部２６５ｂ，２６５ｃ，２６５ｄ，２６５ｅは、電池モジュール２３０に設けられている電池モジュール側ロック部２３５ｂ，２３５ｃ，２３５ｄ，２３５ｅと嵌合する。
【００５０】
なお、図４は、図２のＣ−Ｃ断面における部分拡大概略図であり、電池モジュール側ロック部２３５ｂ、バスバモジュール側ロック部２６５ｂ、及びサーミスタ６１の構成を示している。また、図４に示されていない他の電池モジュール側ロック部２３５ｃ，２３５ｄ，２３５ｅ、バスバモジュール側ロック部２６５ｃ，２６５ｄ，２６５ｅ、及び、サーミスタ６２，６３，６４についても、電池モジュール側ロック部２３５ｂ、バスバモジュール側ロック部２６５ｂ、及びサーミスタ６１と同様な構成とされている。
【００５１】
また、電池モジュール側ロック部２３５ｂは、第１組電池１と同様に、電池列２４０の基準端（図２において右端）から数えて２番目に位置する電池１００の上方に位置している。また、電池モジュール側ロック部２３５ｃは、第１組電池１と同様に、電池列２４０の基準端（図２において右端）から数えて５番目に位置する電池１００の上方に位置している。また、電池モジュール側ロック部２３５ｄは、第１組電池１と異なり、電池列２４０の基準端（図２において右端）から数えて８番目に位置する電池１００の上方に位置している。また、電池モジュール側ロック部２３５ｅは、第１組電池１と異なり、電池列２４０の基準端（図２において右端）から数えて１１番目に位置する電池１００の上方に位置している。
【００５２】
また、バスバモジュール側ロック部２６５ｂは、電池１００の幅方向Ｗ（図２において上下方向、図４に左右方向）について、サーミスタ６１と隣接する位置に設けられている。従って、バスバモジュール側ロック部２６５ｂは、第１組電池１と同様に、電池列２４０の基準端（図２において右端）から数えて２番目に位置する電池１００の上方に位置している。このバスバモジュール側ロック部２６５ｂと電池モジュール側ロック部２３５ｂとが嵌合することで、サーミスタ６１が電池１００（電池列２４０の基準端から数えて２番目に位置する電池１００）の上面１００ｂに確実に接触した状態となる。
【００５３】
また、バスバモジュール側ロック部２６５ｃは、電池１００の幅方向Ｗについて、サーミスタ６２と隣接する位置に設けられている。従って、バスバモジュール側ロック部２６５ｃは、第１組電池１と同様に、電池列２４０の基準端（図２において右端）から数えて５番目に位置する電池１００の上方に位置している。このバスバモジュール側ロック部２６５ｃと電池モジュール側ロック部２３５ｃとが嵌合することで、サーミスタ６２が電池１００（電池列２４０の基準端から数えて５番目に位置する電池１００）の上面１００ｂに確実に接触した状態となる。
【００５４】
また、バスバモジュール側ロック部２６５ｄは、電池１００の幅方向Ｗについて、サーミスタ６３と隣接する位置に設けられている。従って、バスバモジュール側ロック部２６５ｄは、第１組電池１と異なり、電池列２４０の基準端（図２において右端）から数えて８番目に位置する電池１００の上方に位置している。このバスバモジュール側ロック部２６５ｄと電池モジュール側ロック部２３５ｄとが嵌合することで、サーミスタ６３が電池１００（電池列２４０の基準端から数えて８番目に位置する電池１００）の上面１００ｂに確実に接触した状態となる。
【００５５】
また、バスバモジュール側ロック部２６５ｅは、電池１００の幅方向Ｗについて、サーミスタ６４と隣接する位置に設けられている。従って、バスバモジュール側ロック部２６５ｅは、第１組電池１と異なり、電池列２４０の基準端（図２において右端）から数えて１１番目に位置する電池１００の上方に位置している。このバスバモジュール側ロック部２６５ｅと電池モジュール側ロック部２３５ｅとが嵌合することで、サーミスタ６４が電池１００（電池列２４０の基準端から数えて１１番目に位置する電池１００）の上面１００ｂに確実に接触した状態となる。
【００５６】
ところで、本実施形態にかかる第１組電池１及び第２組電池２０１では、サーミスタ６１，６２，６３，６４が、外部から視認できない位置に配置されている。さらに、電池モジュール側ロック部３５ｂ，３５ｃ，３５ｄ，３５ｅ，２３５ｂ，２３５ｃ，２３５ｄ，２３５ｅ、及び、バスバモジュール側ロック部６５ｂ，６５ｃ，６５ｄ，６５ｅ，２６５ｂ，２６５ｃ，２６５ｄ，２６５ｅについても、外部から視認できない位置に配置されている。
【００５７】
しかも、第１組電池１と第２組電池２０１とでは、サーミスタ６１，６２，６３，６４、電池モジュール側ロック部３５ｂ，３５ｃ，３５ｄ，３５ｅ，２３５ｂ，２３５ｃ，２３５ｄ，２３５ｅ、及び、バスバモジュール側ロック部６５ｂ，６５ｃ，６５ｄ，６５ｅ，２６５ｂ，２６５ｃ，２６５ｄ，２６５ｅの位置が、電池列４０，２４０の一方端である基準端（図１及び図２において右端）を基準として、一部異なっている。
【００５８】
しかしながら、このような２種類の第１組電池１と第２組電池２０１について、サーミスタ６１，６２，６３，６４の位置を検知することが求められることがある。例えば、組付工程において、第１組電池１及び第２組電池２０１を作製した後、検査工程において、第１組電池１におけるサーミスタ６１，６２，６３，６４のそれぞれの位置、及び、第２組電池２０１におけるサーミスタ６１，６２，６３，６４のそれぞれの位置を検知（知得）したいことがある。
【００５９】
具体的には、第１組電池１において、サーミスタ６１，６２，６３，６４がそれぞれ、電池１００の上面１００ｂに接触した状態になっているか否かを確認するために、バスバモジュール５０のサーミスタ保持部６５のうち、バスバモジュール側ロック部６５ｂ，６５ｃ，６５ｄ，６５ｅが配置されている部位を所定の力で上方に引っ張り、当該部位が上方に浮き上がるか否かを検査したい場合がある。
【００６０】
サーミスタ６１，６２，６３，６４がそれぞれ、電池１００の上面１００ｂに接触した状態になっている場合は、バスバモジュール側ロック部６５ｂ，６５ｃ，６５ｄ，６５ｅと電池モジュール側ロック部３５ｂ，３５ｃ，３５ｄ，３５ｅとが完全嵌合しているため、バスバモジュール５０のサーミスタ保持部６５のうち、バスバモジュール側ロック部６５ｂ，６５ｃ，６５ｄ，６５ｅが配置されている部位を所定の力で上方に引っ張っても、当該部位が上方に浮き上がらないことになる（または、僅かに浮き上がる程度である）。
【００６１】
一方、サーミスタ６１，６２，６３，６４のうちのいずれかが、電池１００の上面１００ｂに接触した状態になっていない場合は、当該サーミスタにかかるバスバモジュール側ロック部（バスバモジュール側ロック部６５ｂ，６５ｃ，６５ｄ，６５ｅのいずれか）と電池モジュール側ロック部（電池モジュール側ロック部３５ｂ，３５ｃ，３５ｄ，３５ｅのいずれか）とが完全嵌合していないため、バスバモジュール５０のサーミスタ保持部６５のうち、当該サーミスタにかかるバスバモジュール側ロック部（バスバモジュール側ロック部６５ｂ，６５ｃ，６５ｄ，６５ｅのいずれか）が配置されている部位を所定の力で上方に引っ張ると、完全嵌合している場合に比べて、当該部位が上方に大きく浮き上がることになる。
さらに、第２組電池２０１についても同様な検査をしたい場合がある。
【００６２】
ところが、前述したように、第１組電池１及び第２組電池２０１では、サーミスタ６１，６２，６３，６４が、外部から視認できない位置に配置されている。さらに、電池モジュール側ロック部３５ｂ，３５ｃ，３５ｄ，３５ｅ，２３５ｂ，２３５ｃ，２３５ｄ，２３５ｅ、及び、バスバモジュール側ロック部６５ｂ，６５ｃ，６５ｄ，６５ｅ，２６５ｂ，２６５ｃ，２６５ｄ，２６５ｅについても、外部から視認できない位置に配置されている。
【００６３】
しかも、第１組電池１と第２組電池２０１とでは、サーミスタ６１，６２，６３，６４、電池モジュール側ロック部３５ｂ，３５ｃ，３５ｄ，３５ｅ，２３５ｂ，２３５ｃ，２３５ｄ，２３５ｅ、及び、バスバモジュール側ロック部６５ｂ，６５ｃ，６５ｄ，６５ｅ，２６５ｂ，２６５ｃ，２６５ｄ，２６５ｅの位置が、電池列４０，２４０の一方端である基準端（図１及び図２において右端）を基準として、一部異なっている。
【００６４】
従って、上述のような検査をする場合には、まず、第１組電池１及び第２組電池２０１の両方について、サーミスタ６１，６２，６３，６４の位置（バスバモジュール５０のサーミスタ保持部６５における列置方向Ｌにかかる位置）を検知する必要がある。なお、第１組電池１について、サーミスタ６１，６２，６３，６４の位置（バスバモジュール５０のサーミスタ保持部６５における列置方向Ｌにかかる位置）を検知することで、バスバモジュール側ロック部６５ｂ，６５ｃ，６５ｄ，６５ｅの位置（バスバモジュール５０のサーミスタ保持部６５における列置方向Ｌにかかる位置）、及び、電池モジュール側ロック部３５ｂ，３５ｃ，３５ｄ，３５ｅの位置（列置方向Ｌにかかる位置）も検知される。さらに、第２組電池２０１について、サーミスタ６１，６２，６３，６４の位置（バスバモジュール２５０のサーミスタ保持部２６５における列置方向Ｌにかかる位置）を検知することで、バスバモジュール側ロック部２６５ｂ，２６５ｃ，２６５ｄ，２６５ｅの位置（バスバモジュール２５０のサーミスタ保持部２６５における列置方向Ｌにかかる位置）、及び、電池モジュール側ロック部２３５ｂ，２３５ｃ，２３５ｄ，２３５ｅの位置（列置方向Ｌにかかる位置）も検知される。
【００６５】
このため、上述のような検査をする場合には、第１組電池１及び第２組電池２０１の両方について、サーミスタ６１，６２，６３，６４の位置（バスバモジュール５０，２５０のサーミスタ保持部６５，２６５における列置方向Ｌにかかる位置）を検知することができる治具（サーミスタ位置検知用治具）が必要とされる。
【００６６】
これに対し、本実施形態では、サーミスタ位置検知用治具７０を用いて、第１組電池１及び第２組電池２０１の両方について、サーミスタ６１，６２，６３，６４の位置（バスバモジュール５０，２５０のサーミスタ保持部６５，２６５における列置方向Ｌにかかる位置）を検知する。ここで、本実施形態のサーミスタ位置検知用治具７０について説明する。
【００６７】
サーミスタ位置検知用治具７０は、図５及び図６に示すように、列置方向Ｌ（図５及び図６において左右方向）に延びる板状の治具本体部７１と、治具本体部７１に対して列置方向Ｌにスライド可能に設けられた平板状のスライド部７４を有するスライド機構７３とを備えている。このうち、治具本体部７１は、サーミスタ６１，６２，６３，６４の位置（列置方向Ｌにかかる位置）を示す切り欠き部７１ｂ，７１ｃ，７１ｄ，７１ｅ，７１ｆを有している。なお、切り欠き部７１ｂ，７１ｃ，７１ｅ，７１ｆは、電池１００の厚み（列置方向Ｌの寸法）と同等の幅寸法（列置方向Ｌの寸法）を有しており、切り欠き部７１ｄは、その２倍の幅寸法（列置方向Ｌの寸法）を有している。
【００６８】
また、スライド機構７３は、列置方向Ｌに長い２つの長孔７５，７６が形成されたスライド部７４と、長孔７５，７６を挿通する態様で治具本体部７１に固定されている位置決めピン７７，７８と、スライド部７４を列置方向Ｌ（図５及び図６において左右方向）に移動させるための移動装置（図示省略）とを備える。また、スライド部７４は、列置方向Ｌに延びる矩形状の本体部７４ｄ（長孔７５，７６が形成されている部位）と、この本体部７４ｄから幅方向Ｗ（図５及び図６おいて上下方向）の他方側（図５及び図６おいて下側）に突出する突出部７４ｂ，７４ｃとを有する。
【００６９】
スライド部７４は、第１位置と第２位置との間を列置方向Ｌにスライドすることで、サーミスタ位置検知用治具７０を上面視したときに視認できる切り欠き部の位置を変更する。ここで、図５は、サーミスタ位置検知用治具７０の上面視概略図であって、スライド部７４が第１位置に配置されている状態を示している。スライド部７４の第１位置は、スライド部７４の長孔７５，７６の左端が位置決めピン７７，７８に接触（当接）しているときの、スライド部７４の位置である。
【００７０】
図５に示すように、スライド部７４が第１位置に配置されている状態で、サーミスタ位置検知用治具７０を上面視したときに視認できる切り欠き部は、切り欠き部７１ｂと７１ｃと７１ｄの左半分と７１ｆである。切り欠き部７１ｄの右側半分は、スライド部７４の突出部７４ｂによって覆われることで視認できなくなり、切り欠き部７１ｅは、スライド部７４の突出部７４ｃによって覆われることで視認できなくなっている。
【００７１】
一方、図６は、サーミスタ位置検知用治具７０の上面視概略図であって、スライド部７４が第２位置に配置されている状態を示している。スライド部７４の第２位置は、スライド部７４の長孔７５，７６の右端が位置決めピン７７，７８に接触（当接）しているときの、スライド部７４の位置である。
【００７２】
図６に示すように、スライド部７４が第２位置に配置されている状態で、サーミスタ位置検知用治具７０を上面視したときに視認できる切り欠き部は、切り欠き部７１ｂと７１ｃと７１ｄの右半分と７１ｅと７１ｆである。切り欠き部７１ｄの左側半分は、スライド部７４の突出部７４ｂによって覆われることで視認できなくなっている。一方、スライド部７４が第１位置に配置されている状態で視認できなかった切り欠き部７１ｅは、スライド部７４の突出部７４ｃが左側へ移動したことによって、上方から視認できるようになっている。
【００７３】
以上説明したように、本実施形態のサーミスタ位置検知用治具７０では、スライド部７４を第１位置に配置したときと、スライド部７４を第２位置に配置したときとにおいて、サーミスタ位置検知用治具７０を上面視したときに視認できる切り欠き部（サーミスタの存在位置を示す部位）の位置を異ならせることができる。
【００７４】
より具体的には、本実施形態のサーミスタ位置検知用治具７０では、図７に示すように、第１組電池１をサーミスタ位置検知用治具７０の下方の規定位置に配置し（換言すれば、サーミスタ位置検知用治具７０を第１組電池１の上方の規定位置に配置し）、且つ、スライド部７４を第１位置に配置した状態で、サーミスタ位置検知用治具７０及び第１組電池１を上面視したときに視認できる切り欠き部７１ｂ，７１ｃ，７１ｄの左半分，７１ｆが、第１組電池１におけるサーミスタ６１，６２，６３，６４の位置（バスバモジュール５０のサーミスタ保持部６５における列置方向Ｌにかかる位置）を示すように構成されている。
【００７５】
すなわち、第１組電池１をサーミスタ位置検知用治具７０の下方の規定位置に配置し（換言すれば、サーミスタ位置検知用治具７０を第１組電池１の上方の規定位置に配置し）、且つ、スライド部７４を第１位置に配置した状態で、サーミスタ位置検知用治具７０及び第１組電池１を上面視したときに視認できる切り欠き部７１ｂ，７１ｃ，７１ｄの左半分，７１ｆの位置が、第１組電池１におけるサーミスタ６１，６２，６３，６４の位置（バスバモジュール５０のサーミスタ保持部６５における列置方向Ｌにかかる位置）となるように構成されている。
【００７６】
従って、第１組電池１についてサーミスタ６１，６２，６３，６４の位置（バスバモジュール５０のサーミスタ保持部６５における列置方向Ｌにかかる位置）を検知したい場合、作業者は、第１組電池１をサーミスタ位置検知用治具７０の下方の規定位置に配置し（換言すれば、サーミスタ位置検知用治具７０を第１組電池１の上方の規定位置に配置し）、且つ、スライド部７４を第１位置に配置した状態で、サーミスタ位置検知用治具７０及び第１組電池１を上面視することで、視認できる切り欠き部７１ｂ，７１ｃ，７１ｄの左半分，７１ｆの下方に、サーミスタ６１，６２，６３，６４（さらには、バスバモジュール側ロック部６５ｂ，６５ｃ，６５ｄ，６５ｅ、及び、電池モジュール側ロック部３５ｂ，３５ｃ，３５ｄ，３５ｅ）が存在していることを検知することができる。
【００７７】
なお、本実施形態では、第１組電池１をサーミスタ位置検知用治具７０の下方の規定位置に配置すると、配置された組電池の列置方向Ｌにかかる長さに基づいて（組電池の列置方向Ｌにかかる長さが検出されて）、配置された組電池が第１組電池１であると判断され、スライド部７４が第１位置に配置されるようにスライド機構７３が駆動するように構成されている。従って、本実施形態では、第１組電池１をサーミスタ位置検知用治具７０の下方の規定位置に配置すると、自動的に、スライド部７４が第１位置に配置される。
【００７８】
さらに、本実施形態のサーミスタ位置検知用治具７０では、図８に示すように、第２組電池２０１をサーミスタ位置検知用治具７０の下方の規定位置に配置し（換言すれば、サーミスタ位置検知用治具７０を第２組電池２０１の上方の規定位置に配置し）、且つ、スライド部７４を第２位置に配置した状態で、サーミスタ位置検知用治具７０及び第２組電池２０１を上面視したときに視認できる切り欠き部７１ｂ，７１ｃ，７１ｄの右半分，７１ｅが、第２組電池２０１におけるサーミスタ６１，６２，６３，６４の位置（バスバモジュール２５０のサーミスタ保持部２６５における列置方向Ｌにかかる位置）を示すように構成されている。なお、切り欠き部７１ｆも上面視で視認することができるが、切り欠き部７１ｆの下方には電池１００及びバスバモジュール２５０等が存在していないため、切り欠き部７１ｆの下方にはサーミスタが存在していないことは明らかである。
【００７９】
すなわち、図８に示すように、第２組電池２０１をサーミスタ位置検知用治具７０の下方の規定位置に配置し（換言すれば、サーミスタ位置検知用治具７０を第２組電池２０１の上方の規定位置に配置し）、且つ、スライド部７４を第２位置に配置した状態で、サーミスタ位置検知用治具７０及び第２組電池２０１を上面視したときに視認できる切り欠き部７１ｂ，７１ｃ，７１ｄの右半分，７１ｅの位置が、第２組電池２０１におけるサーミスタ６１，６２，６３，６４の位置（バスバモジュール２５０のサーミスタ保持部２６５における列置方向Ｌにかかる位置）となるように構成されている。
【００８０】
従って、第２組電池２０１についてサーミスタ６１，６２，６３，６４の位置（バスバモジュール２５０のサーミスタ保持部２６５における列置方向Ｌにかかる位置）を検知したい場合、作業者は、第２組電池２０１をサーミスタ位置検知用治具７０の下方の規定位置に配置し（換言すれば、サーミスタ位置検知用治具７０を第２組電池２０１の上方の規定位置に配置し）、且つ、スライド部７４を第２位置に配置した状態で、サーミスタ位置検知用治具７０及び第２組電池２０１を上面視することで、視認できる切り欠き部７１ｂ，７１ｃ，７１ｄの右半分，７１ｅの下方に、サーミスタ６１，６２，６３，６４（さらには、バスバモジュール側ロック部２６５ｂ，２６５ｃ，２６５ｄ，２６５ｅ、及び、電池モジュール側ロック部２３５ｂ，２３５ｃ，２３５ｄ，２３５ｅ）が存在していることを検知することができる。
【００８１】
なお、本実施形態では、第２組電池２０１をサーミスタ位置検知用治具７０の下方の規定位置に配置すると、配置された組電池の列置方向Ｌにかかる長さに基づいて（組電池の列置方向Ｌにかかる長さが検出されて）、配置された組電池が第２組電池２０１であると判断され、スライド部７４が第２位置に配置されるようにスライド機構７３が駆動するように構成されている。従って、本実施形態では、第２組電池２０１をサーミスタ位置検知用治具７０の下方の規定位置に配置すると、自動的に、スライド部７４が第２位置に配置される。
【００８２】
また、第１組電池１及び第２組電池２０１は、電池列４０，２４０の一方端（図７及び図８において右端）に位置する電池１００の位置が、サーミスタ位置検知用治具７０に対して同じ位置になるようにして、サーミスタ位置検知用治具７０の下方の規定位置に配置される。従って、本実施形態では、電池列４０，２４０の一方端（図７及び図８において右端）に位置する電池１００の位置を基準として、第１組電池１及び第２組電池２０１におけるサーミスタ６１，６２，６３，６４等の位置が検知される。
【００８３】
従って、本実施形態では、サーミスタ位置検知用治具７０を用いて、以下のような手順によって、第１組電池１において、サーミスタ６１，６２，６３，６４がそれぞれ、電池１００の上面１００ｂに接触した状態になっているか否かを確認することができる。
作業者は、まず、前述したように、第１組電池１をサーミスタ位置検知用治具７０の下方の規定位置に配置して、サーミスタ位置検知用治具７０のスライド部７４が第１位置に配置された状態とする（図７参照）。そして、サーミスタ位置検知用治具７０及び第１組電池１を上面視すると、切り欠き部７１ｂ，７１ｃ，７１ｄの左半分，７１ｆを視認することができる。これにより、作業者は、切り欠き部７１ｂ，７１ｃ，７１ｄの左半分，７１ｆの下方に、サーミスタ６１，６２，６３，６４（さらには、バスバモジュール側ロック部６５ｂ，６５ｃ，６５ｄ，６５ｅ、及び、電池モジュール側ロック部３５ｂ，３５ｃ，３５ｄ，３５ｅ）が存在していることを検知することができる。
【００８４】
次いで、作業者は、バスバモジュール５０のサーミスタ保持部６５のうち、上面視で視認できる切り欠き部７１ｂ，７１ｃ，７１ｄの左半分，７１ｆの下方に位置する部位（すなわち、サーミスタ６１，６２，６３，６４、及び、バスバモジュール側ロック部６５ｂ，６５ｃ，６５ｄ，６５ｅが配置されている部位）を、それぞれ、図示しない引っ張り治具を用いて、所定の力で上方に引っ張る。
【００８５】
このとき、サーミスタ６１，６２，６３，６４がそれぞれ、電池１００の上面１００ｂに接触した状態になっている場合は、バスバモジュール側ロック部６５ｂ，６５ｃ，６５ｄ，６５ｅと電池モジュール側ロック部３５ｂ，３５ｃ，３５ｄ，３５ｅとが嵌合（完全嵌合）しているため、バスバモジュール５０のサーミスタ保持部６５は、上方に浮き上がらない（または、僅かに浮き上がる程度である）。具体的には、上方への浮き上がり量（高さ）は、予め設定した閾値よりも小さくなる。
【００８６】
一方、サーミスタ６１，６２，６３，６４のうちのいずれかが、電池１００の上面１００ｂに接触した状態になっていない場合は、当該サーミスタにかかるバスバモジュール側ロック部（バスバモジュール側ロック部６５ｂ，６５ｃ，６５ｄ，６５ｅのいずれか）と電池モジュール側ロック部（電池モジュール側ロック部３５ｂ，３５ｃ，３５ｄ，３５ｅのいずれか）とが嵌合（完全嵌合）していないため、バスバモジュール５０のサーミスタ保持部６５のうち、当該サーミスタにかかるバスバモジュール側ロック部（バスバモジュール側ロック部６５ｂ，６５ｃ，６５ｄ，６５ｅのいずれか）が配置されている部位が上方に大きく浮き上がる。具体的には、上方への浮き上がり量（高さ）は、予め設定した閾値以上になる。
【００８７】
従って、上方への浮き上がり量（高さ）が閾値よりも小さい部位については、バスバモジュール側ロック部と電池モジュール側ロック部とが嵌合（完全嵌合）しており、当該部位にかかるサーミスタが、電池１００の上面１００ｂに適切に接触した状態になっていると判断することができる。一方、上方への浮き上がり量（高さ）が閾値以上の部位については、バスバモジュール側ロック部と電池モジュール側ロック部とが嵌合（完全嵌合）しておらず、当該部位にかかるサーミスタが、電池１００の上面１００ｂに適切に接触した状態になっていないと判断することができる。
【００８８】
さらに、本実施形態では、サーミスタ位置検知用治具７０を用いて、以下のような手順によって、第２組電池２０１において、サーミスタ６１，６２，６３，６４がそれぞれ、電池１００の上面１００ｂに接触した状態になっているか否かを確認することができる。
作業者は、まず、前述したように、第２組電池２０１をサーミスタ位置検知用治具７０の下方の規定位置に配置して、サーミスタ位置検知用治具７０のスライド部７４が第２位置に配置された状態とする（図８参照）。そして、サーミスタ位置検知用治具７０及び第２組電池２０１を上面視すると、切り欠き部７１ｂ，７１ｃ，７１ｄの右半分，７１ｅ，７１ｆを視認することができる。
【００８９】
なお、作業者は、切り欠き部７１ｆの下方には、電池１００及びバスバモジュール２５０等が存在していないことも視認できる。従って、作業者は、切り欠き部７１ｂ，７１ｃ，７１ｄの右半分，７１ｅの下方に、サーミスタ６１，６２，６３，６４（さらには、バスバモジュール側ロック部２６５ｂ，２６５ｃ，２６５ｄ，２６５ｅ）が存在していることを検知することができる。
【００９０】
次いで、バスバモジュール２５０のサーミスタ保持部２６５のうち、上面視で視認できる切り欠き部７１ｂ，７１ｃ，７１ｄの右半分，７１ｅの下方に位置する部位（すなわち、サーミスタ６１，６２，６３，６４、及び、バスバモジュール側ロック部２６５ｂ，２６５ｃ，２６５ｄ，２６５ｅが配置されている部位）を、それぞれ、図示しない引っ張り治具を用いて、所定の力で上方に引っ張る。
【００９１】
このとき、サーミスタ６１，６２，６３，６４がそれぞれ、電池１００の上面１００ｂに接触した状態になっている場合は、バスバモジュール側ロック部２６５ｂ，２６５ｃ，２６５ｄ，２６５ｅと電池モジュール側ロック部２３５ｂ，２３５ｃ，２３５ｄ，２３５ｅとが嵌合（完全嵌合）しているため、バスバモジュール２５０のサーミスタ保持部２６５は、上方に浮き上がらない（または、僅かに浮き上がる程度である）。具体的には、上方への浮き上がり量（高さ）は、予め設定した閾値よりも小さくなる。
【００９２】
一方、サーミスタ６１，６２，６３，６４のうちのいずれかが、電池１００の上面１００ｂに接触した状態になっていない場合は、当該サーミスタにかかるバスバモジュール側ロック部（バスバモジュール側ロック部２６５ｂ，２６５ｃ，２６５ｄ，２６５ｅのいずれか）と電池モジュール側ロック部（電池モジュール側ロック部２３５ｂ，２３５ｃ，２３５ｄ，２３５ｅのいずれか）とが嵌合（完全嵌合）していないため、バスバモジュール２５０のサーミスタ保持部２６５のうち、当該サーミスタにかかるバスバモジュール側ロック部（バスバモジュール側ロック部２６５ｂ，２６５ｃ，２６５ｄ，２６５ｅのいずれか）が配置されている部位が上方に大きく浮き上がる。具体的には、上方への浮き上がり量（高さ）は、予め設定した閾値以上になる。
【００９３】
従って、上方への浮き上がり量（高さ）が閾値よりも小さい部位については、バスバモジュール側ロック部と電池モジュール側ロック部とが嵌合（完全嵌合）しており、当該部位にかかるサーミスタが、電池１００の上面１００ｂに適切に接触した状態になっていると判断することができる。一方、上方への浮き上がり量（高さ）が閾値以上の部位については、バスバモジュール側ロック部と電池モジュール側ロック部とが嵌合（完全嵌合）しておらず、当該部位にかかるサーミスタが、電池１００の上面１００ｂに適切に接触した状態になっていないと判断することができる。
【００９４】
以上説明したように、本実施形態のサーミスタ位置検知用治具７０を用いることで、サーミスタが外部から視認できない位置に配置されている組電池であって、列置方向に列置された電池の個数が異なる（従って、列置方向の長さが異なる）２種類の組電池のそれぞれについて、サーミスタの位置を適切に検知することができる。さらには、２種類の組電池のそれぞれについて、サーミスタが電池の上面に適切に接触した状態になっているか否かを検知することも可能となる。
【００９５】
以上において、本発明を実施形態に即して説明したが、本発明は上記実施形態に限定されるものではなく、その要旨を逸脱しない範囲で、適宜変更して適用できることはいうまでもない。
【００９６】
例えば、実施形態では、スライド部７４を第１位置に配置した状態で、サーミスタ位置検知用治具７０を上面視したときに視認できる切り欠き部の数が４つになるサーミスタ位置検知用治具７０を用いて、４つのサーミスタ６１，６２，６３，６４を有する第１組電池１について、それぞれのサーミスタの位置を検知するようにした。
【００９７】
しかしながら、他の形態として、例えば、図９に示すように、第１組電池１と比較して、サーミスタ６２のみが存在しない点のみが異なる（電池モジュール側ロック部３５ｃ及びバスバモジュール側ロック部６５ｃは存在する）第１組電池３０１について、実施形態のサーミスタ位置検知用治具７０を用いて、３つのサーミスタの位置と４つのロック部の位置を検知するようにしても良い。なお、この場合は、第２組電池としても、図１０に示すように、第２組電池２０１と比較して、サーミスタ６２のみが存在しない点のみが異なる（電池モジュール側ロック部２３５ｃ及びバスバモジュール側ロック部２６５ｃは存在する）第２組電池４０１について、実施形態のサーミスタ位置検知用治具７０を用いて、３つのサーミスタの位置と４つのロック部の位置を検知することになる。
【００９８】
但し、この形態の場合は、サーミスタ位置検知用治具７０の切り欠き部７１ｃは、サーミスタの位置を示すものではなく、ロック部の位置を示すものとなる。すなわち、本発明のサーミスタ位置検知用治具は、サーミスタ位置検知用治具に設けられている全ての切り欠き部がサーミスタ位置を示すものに限定されるものではなく、サーミスタ位置を示す切り欠き部が設けられていれば良い（サーミスタ位置検知用治具に設けられている切り欠き部の少なくともいずれかがサーミスタの位置を示す切り欠き部であれば良い）。例えば、サーミスタの位置を示す切り欠き部とサーミスタ以外のものを示す切り欠き部とを有するサーミスタ位置検知用治具も含むということである。
【００９９】
この形態では、第１組電池３０１及び第２組電池４０１について、サーミスタ位置検知用治具７０を用いて、実施形態と同様にして、３つのサーミスタの位置と４つのロック部の位置を検知する。なお、この形態では、サーミスタ位置検知用治具７０の切り欠き部７１ｃは、サーミスタの位置を示すものではなく、ロック部の位置を示すものであることは、作業者に把握されている。
【０１００】
具体的には、図９に示すように、作業者は、第１組電池３０１をサーミスタ位置検知用治具７０の下方の規定位置に配置し、且つ、スライド部７４を第１位置に配置した状態で、サーミスタ位置検知用治具７０及び第１組電池３０１を上面視することで、視認できる４つの切り欠き部７１ｂ，７１ｃ，７１ｄの左半分，７１ｆのうち、３つの切り欠き部７１ｂ，７１ｄの左半分，７１ｆの下方に、サーミスタ６１，６３，６４が存在していると検知することができ、４つの切り欠き部７１ｂ，７１ｃ，７１ｄの左半分，７１ｆの下方に、バスバモジュール側ロック部６５ｂ，６５ｃ，６５ｄ，６５ｅ、及び、電池モジュール側ロック部３５ｂ，３５ｃ，３５ｄ，３５ｅが存在していることを検知することができる。
【０１０１】
さらには、作業者は、第１組電池３０１のバスバモジュール３５０のサーミスタ保持部６５のうち、上面視で視認できる切り欠き部７１ｂ，７１ｃ，７１ｄの左半分，７１ｆの下方に位置する部位（すなわち、サーミスタ６１，６３，６４、及び、バスバモジュール側ロック部６５ｂ，６５ｃ，６５ｄ，６５ｅが配置されている部位）を、それぞれ、図示しない引っ張り治具を用いて、所定の力で上方に引っ張ることで、実施形態と同様に、バスバモジュール側ロック部６５ｂ，６５ｃ，６５ｄ，６５ｅと電池モジュール側ロック部３５ｂ，３５ｃ，３５ｄ，３５ｅとが嵌合しているか否かを検知することができると共に、サーミスタ６１，６３，６４が電池１００の上面に適切に接触した状態になっているか否かを検知することができる。
【０１０２】
また、図１０に示すように、作業者は、第２組電池４０１をサーミスタ位置検知用治具７０の下方の規定位置に配置し、且つ、スライド部７４を第２位置に配置した状態で、サーミスタ位置検知用治具７０及び第２組電池４０１を上面視することで、視認できる５つの切り欠き部７１ｂ，７１ｃ，７１ｄの右半分，７１ｅ、７１ｆのうち、３つの切り欠き部７１ｂ，７１ｄの右半分，７１ｅの下方に、サーミスタ６１，６３，６４が存在していると検知することができ、４つの切り欠き部７１ｂ，７１ｃ，７１ｄの右半分，７１ｅの下方に、バスバモジュール側ロック部２６５ｂ，２６５ｃ，２６５ｄ，２６５ｅ、及び、電池モジュール側ロック部２３５ｂ，２３５ｃ，２３５ｄ，２３５ｅが存在していることを検知することができる。
【０１０３】
さらには、作業者は、第２組電池４０１のバスバモジュール４５０のサーミスタ保持部２６５のうち、切り欠き部７１ｂ，７１ｃ，７１ｄの右半分，７１ｅの下方に位置する部位（すなわち、サーミスタ６１，６３，６４、及び、バスバモジュール側ロック部２６５ｂ，２６５ｃ，２６５ｄ，２６５ｅが配置されている部位）を、それぞれ、図示しない引っ張り治具を用いて、所定の力で上方に引っ張ることで、実施形態と同様に、バスバモジュール側ロック部２６５ｂ，２６５ｃ，２６５ｄ，２６５ｅと電池モジュール側ロック部２３５ｂ，２３５ｃ，２３５ｄ，２３５ｅとが嵌合しているか否かを検知することができると共に、サーミスタ６１，６３，６４が電池１００の上面に適切に接触した状態になっているか否かを検知することができる。
【符号の説明】
【０１０４】
１，３０１  第１組電池
２０１，４０１  第２組電池
３０，２３０  電池モジュール
４０，２４０  電池列
５０，２５０，３５０，４５０  バスバモジュール
５１，５２  バスバ
６１，６２，６３，６４  サーミスタ
７０  サーミスタ位置検知用治具
７１治具本体部
７１ｂ，７１ｃ，７１ｄ，７１ｅ、７１ｆ  切り欠き部
７３  スライド機構
７４  スライド部
１００  電池
１００ｂ  上面
１１０  電池ケース
１３０  正極外部端子（電極外部端子）
１４０  負極外部端子（電極外部端子）
Ｌ  列置方向
Ｗ  幅方向
【図１】
2019192542.tif 000003
【図２】
2019192542.tif 000004
【図３】
2019192542.tif 000005
【図４】
2019192542.tif 000006
【図５】
2019192542.tif 000007
【図６】
2019192542.tif 000008
【図７】
2019192542.tif 000009
【図８】
2019192542.tif 000010
【図９】
2019192542.tif 000011
【図１０】
2019192542.tif 000012